(57)【要約】      （修正有）【課題】３段階のスイッチングを行うことができ、しかも、組立てが容易で、薄型化をはかることができるプッシュスイッチを提供する。【解決手段】スイッチケース１内に、中央部にダイヤフラム部１１が形成され、外周部に枠板部１２が形成され、枠板部１２の両側の傾斜辺部の中央部に対応する部分に、ダイヤフラム支持部１３が形成され、枠板部１２の外側に一対の足部１４が形成され、枠板部１２の傾斜辺部の中央部に第１スイッチ用接点部１６が形成された可動接点板１０を、一対の足部１４をケース内底面に当接させて収容し、前記スイッチケース１の内底面には、前記可動接点板１０の足部１４と当接するコモン電極と、前記第１スイッチ用接点部１６に対向する第１スイッチ用電極１９ａと、前記ダイヤフラム部１１の外周縁部に対向する第２スイッチ用電極１９ａと、前記ダイヤフラム部１１の中心部に対向する第３スイッチ用電極２０ａとを設けた。【選択図】図２
2008186605.tif 000002
【特許請求の範囲】
【請求項１】
周壁部と底面部とからなり、プッシュ操作側の面である上面が開口したスイッチケースと、
前記スイッチケース内に収まる外形を有する１枚の金属板からなり、中央部に、外周縁から中心部に向かって前記金属板の一方の面方向に膨らむ球面状に湾曲したダイヤフラム部が形成され、外周部に、前記ダイヤフラム部を囲んで、両側の辺部がそれぞれ外周縁から内周縁に向かって前記一方の面方向に傾斜した枠板部が形成され、前記枠板部の両側の傾斜辺部の中央部に対応する部分にそれぞれ、前記枠板部の内周縁と前記ダイヤフラム部の外周縁とをつなぎ、且つ前記枠板部側から前記ダイヤフラム部側に向かって前記一方の面方向に傾斜し、前記ダイヤフラム部の外周縁を前記枠板部に対して前記一方の面方向に浮かせて支持する一対のダイヤフラム支持部が形成され、前記枠板部の外側に、前記一対のダイヤフラム支持部にそれぞれ対応させて、前記枠板部の外周縁から外方に延長された一対の足部が形成され、前記枠板部の傾斜辺部に第１スイッチ用接点部が形成され、前記スイッチケース内に、前記ダイヤフラム部の膨らみ側を前記スイッチケースの上面方向に向け、前記一対の足部を前記スイッチケースの内底面に当接させて収容された可動接点板と、
前記スイッチケースの内底面のうちの前記可動接点板の一対の足部の少なくとも一方の当接部に設けられたコモン電極と、
前記スイッチケースの内底面に、前記可動接点板の第１スイッチ用接点部に間隔を存して対向させて設けられた第１スイッチ用電極と、
前記スイッチケースの内底面に、前記可動接点板のダイヤフラム部の外周縁部に前記第１スイッチ用接点部と前記第１スイッチ用電極との間隔よりも大きい間隔を存して対向させて設けられた第２スイッチ用電極と、
前記スイッチケースの内底面に、前記可動接点板のダイヤフラム部の中心部に前記ダイヤフラム部の外周縁部と前記第２スイッチ用電極との間隔よりも大きい間隔を存して対向させて設けられた第３スイッチ用電極と、
を備えたことを特徴とするプッシュスイッチ。
【請求項２】
可動接点板の一対の足部はそれぞれ、枠板部の外周縁のダイヤフラム支持部に対応する部分から前記枠板部の外周縁に沿って一方の方向と他方の方向とに延長された２つの足片からなっていることを特徴とする請求項１に記載のプッシュスイッチ。
【請求項３】
可動接点板の一対の足部の各足片は、その先端部がスイッチケースの内底面方向に斜めに折曲げられた形状に形成され、前記先端部において、前記スイッチケースの内底面に当接していることを特徴とする請求項２に記載のプッシュスイッチ。
【請求項４】
可動接点板は、複数枚密着状態で重ねて前記スイッチケース内に収容されていることを特徴とする請求項１に記載のプッシュスイッチ。
【発明の詳細な説明】
【技術分野】
【０００１】
この発明は、一連のプッシュ操作によって３段階のスイッチングを行うプッシュスイッチに関する。
【背景技術】
【０００２】
一連のプッシュ操作によって３段階のスイッチングを行うプッシュスイッチとしては、従来、周壁部と底面部とからなり、プッシュ操作側の面である上面が開口したスイッチケースの内底面に第１と第２の電極を設け、前記スイッチケース内に第１の可動接点板を配置し、この第１の可動接点板の上側に、前記第１の可動接点板との間に間隔を設けて、第２の可動接点板を配置した構成のものがある（特許文献１参照）。
【０００３】
このプッシュスイッチは、前記スイッチケースの上面側から前記第２の可動接点板を押圧するプッシュ操作によって３段階のスイッチングを行うものであり、前記プッシュ操作により、まず前記第２の可動接点板が弾性変形して前記第１の可動接点板に接触し、第１スイッチがＯＮする。
【０００４】
そして、第２の可動接点板が第１の可動接点板に接触すると、前記第１の可動接点板が前記押圧力を受けて弾性変形し、この第１の可動接点板が前記第１の固定接点に接触して第２スイッチがＯＮし、次いで前記第１の可動接点板が前記第２の固定接点に接触して第３スイッチがＯＮする。
【特許文献１】特開２００６−２９４４３０号公報
【発明の開示】
【発明が解決しようとする課題】
【０００５】
上記従来のプッシュスイッチは、前記スイッチケース内に、第２スイッチと第３スイッチを形成するための第１の可動接点板を配置し、さらに前記第１の可動接点板の上側に、第２段スイッチを形成するための第２の可動接点板を、前記第１の可動接点板との間に間隔を設けて配置したものであるため、組立てが面倒で、また薄型化が難しい。
【０００６】
この発明は、一連のプッシュ操作によって３段階のスイッチングを行うことができ、しかも、組立てが容易で、薄型化をはかることができるプッシュスイッチを提供することを目的としたものである。
【課題を解決するための手段】
【０００７】
この発明のプッシュスイッチは、
周壁部と底面部とからなり、プッシュ操作側の面である上面が開口したスイッチケースと、
前記スイッチケース内に収まる外形を有する１枚の金属板からなり、中央部に、外周縁から中心部に向かって前記金属板の一方の面方向に膨らむ球面状に湾曲したダイヤフラム部が形成され、外周部に、前記ダイヤフラム部を囲んで、両側の辺部がそれぞれ外周縁から内周縁に向かって前記一方の面方向に傾斜した枠板部が形成され、前記枠板部の両側の傾斜辺部の中央部に対応する部分にそれぞれ、前記枠板部の内周縁と前記ダイヤフラム部の外周縁とをつなぎ、且つ前記枠板部側から前記ダイヤフラム部側に向かって前記一方の面方向に傾斜し、前記ダイヤフラム部の外周縁を前記枠板部に対して前記一方の面方向に浮かせて支持する一対のダイヤフラム支持部が形成され、前記枠板部の外側に、前記一対のダイヤフラム支持部にそれぞれ対応させて、前記枠板部の外周縁から外方に延長された一対の足部が形成され、前記枠板部の傾斜辺部に第１スイッチ用接点部が形成され、前記スイッチケース内に、前記ダイヤフラム部の膨らみ側を前記スイッチケースの上面方向に向け、前記一対の足部を前記一対の足部を前記スイッチケースの内底面に当接させて収容された可動接点板と、
前記スイッチケースの内底面のうちの前記可動接点板の一対の足部の少なくとも一方の当接部に設けられたコモン電極と、
前記スイッチケースの内底面に、前記可動接点板の第１スイッチ用接点部に間隔を存して対向させて設けられた第１スイッチ用電極と、
前記スイッチケースの内底面に、前記可動接点板のダイヤフラム部の外周縁部に前記第１スイッチ用接点部と前記第１スイッチ用電極との間隔よりも大きい間隔を存して対向させて設けられた第２スイッチ用電極と、
前記スイッチケースの内底面に、前記可動接点板のダイヤフラム部の中心部に前記ダイヤフラム部の外周縁部と前記第２スイッチ用電極との間隔よりも大きい間隔を存して対向させて設けられた第３スイッチ用電極と、
を備えたことを特徴とする。
【０００８】
この発明のプッシュスイッチにおいて、前記可動接点板の一対の足部はそれぞれ、前記枠板部の外周縁のダイヤフラム支持部に対応する部分から前記枠板部の外周縁に沿って一方の方向と他方の方向とに延長された２つの足片からなっているのが望ましい。
【０００９】
さらに、前記可動接点板の一対の足部の各足片は、その先端部が前記スイッチケースの内底面方向に斜めに折曲げられた形状に形成され、前記先端部において、前記スイッチケースの内底面に当接しているのが好ましい。
【００１０】
また、この発明のプッシュスイッチにおいて、前記可動接点板は、複数枚密着状態で重ねて前記スイッチケース内に収容してもよい。
【発明の効果】
【００１１】
この発明のプッシュスイッチは、前記スイッチケースの上面側から前記可動接点板のダイヤフラム部の中央部を押圧するプッシュ操作によって３段階のスイッチングを行うものであり、前記プッシュ操作により、前記スイッチケースの内底面に、一対の足部を、少なくとも一方の足部をコモン電極に接触させて支持された可動接点板の枠板部の傾斜辺部が、その内周縁側がスイッチケースの内底面方向に押し下げられるように弾性変形して第１スイッチ用接点部が第１スイッチ用電極に接触し、前記コモン電極と第１スイッチ用電極とが可動接点板を介して導通されて第１スイッチがＯＮする。
【００１２】
そして、前記可動接点板のダイヤフラム部をさらに押圧すると、前記可動接点板の一対のダイヤフラム支持部が、逆向きの傾斜状態（枠板部側からダイヤフラム部側に向かってスイッチケースの内底面方向に傾斜した状態）に反転して、前記ダイヤフラム部の外周縁部が第２スイッチ用電極に接触し、前記コモン電極と第２スイッチ用電極とが可動接点板を介して導通されて第２スイッチがＯＮし、次いで、前記ダイヤフラム部が逆膨らみ状態（中央部がスイッチケースの内底面方向に膨らんだ状態）に反転して、前記ダイヤフラム部の中心部が第３スイッチ用電極に接触し、前記コモン電極と第３スイッチ用電極とが可動接点板を介して導通されて第３スイッチがＯＮする。
【００１３】
このように、この発明のプッシュスイッチは、一連のプッシュ操作によって３段階のスイッチングを行うことができる。
【００１４】
しかも、この発明のプッシュスイッチは、プッシュ操作により前記可動接点板を前記第１、第２、第３のスイッチ用電極に順に接触させるものであるため、スイッチケース内に、第２スイッチと第３スイッチを形成するための第１の可動接点板を配置し、さらに前記第１の可動接点板の上側に、第２段スイッチを形成するための第２の可動接点板を、前記第１の可動接点板との間に間隔を設けて配置した従来のプッシュスイッチに比べて、容易に組立てることができるとともに、薄型化をはかることができる。
【００１５】
また、上記実施例のプッシュスイッチは、前記可動接点板の一対の足部をそれぞれ、前記枠板部の外周縁のダイヤフラム支持部に対応する部分から前記枠板部の外周縁に沿って一方の方向と他方の方向とに延長された２つの足片により形成しているため、前記可動接点板をスイッチケース１の内底面に安定に支持させるとともに、前記枠板部の外方への前記足部の張出しを小さく抑え、スイッチケースの平面形状を小さくすることができる。
【００１６】
さらに、上記実施例のプッシュスイッチは、前記可動接点板の一対の足部の２つの足片をそれぞれ、その先端部が前記スイッチケースの内底面方向に斜めに折曲げられた形状に形成し、前記足部を、その各足片の先端部において、前記スイッチケースの内底面に当接させているため、前記可動接点板のダイヤフラム部の外周縁部が前記第２スイッチ用電極に接触するときの前記ダイヤフラム支持部の反転による前記足部の跳ね上がり及び前記ダイヤフラム部の中心部が前記第３スイッチ用電極に接触するときの前記ダイヤフラム部の反転による前記足部の跳ね上がりを前記足片の折曲げ部の弾性により吸収し、前記足部の前記コモン電極への接触状態を安定に保つことができる。
【００１７】
また、この発明のプッシュスイッチにおいて、前記可動接点板は、複数枚密着状態で重ねて前記スイッチケース内に収容してもよく、このようにすることにより、プッシュスイッチの耐久性を向上させることができる。
【発明を実施するための最良の形態】
【００１８】
図１〜図１１はこの発明の第１の実施例を示しており、図１はプッシュスイッチの外観の斜視図、図２は前記プッシュスイッチのスイッチケースの対角線方向に沿った拡大断面図である。
【００１９】
このプッシュスイッチは、ケース部の平面形状が約６ｍｍ×約６ｍｍの正方形状で、前記ケース部の厚さが約０．８ｍｍの薄型スイッチであり、図１及び図２のように、周壁部１ａと底面部１ｂとからなり、プッシュ操作側の面である上面が開口した薄箱状の合成樹脂製スイッチケース１と、前記スイッチケース１内に収容された可動接点板１０と、前記スイッチケース１の内底面に設けられたコモン電極１７ａ及び第１、第２、第３のスイッチ用電極１８ａ，１９ａ，２０ｂとを備えている。
【００２０】
図３は前記スイッチケース１の平面図、図４は図３のIV−IV線に沿う拡大断面図、図５及び図６は前記可動接点板１０の平面図及び側面図、図７及び図８は図５のVII−VII線及びVIII−VIII線に沿う拡大断面図、図９は前記スイッチケース１の可動接点板１０を収容した状態の平面図である。
【００２１】
まず、可動接点板１０について説明すると、この可動接点板１０は、前記スイッチケース１内に収まる外形を有する板厚が０．０５ｍｍの１枚の金属板からなっており、図３〜図８に示したように、その中央部に、外周縁から中心部に向かって前記金属板の一方の面方向に膨らむ球面状に湾曲した平面形状が円形のダイヤフラム部１１が形成され、外周部に、前記ダイヤフラム部１１を囲んで、平面形状が円形リング状の枠板部１２が形成され、前記枠板部１２の両側の辺部の中央部に対応する部分にそれぞれ前記枠板部１２の内周縁と前記ダイヤフラム部１１の外周縁一対のダイヤフラム支持部１３が形成され、前記枠板部１２の外側に、前記一対のダイヤフラム支持部１３にそれぞれ対応させて、前記枠板部１２の外周縁から外方に延長された一対の足部１４が形成され、前記枠板部１２に、前記一方の面とは反対方向に突出する突起状の第１スイッチ用接点部１６が形成されている。
【００２２】
この可動接点板１０の枠板部１２は、その両側の辺部がそれぞれ外周縁から内周縁に向かって前記一方の面方向（ダイヤフラム部１１の膨らみ方向と同じ方向）に傾斜し、且つ前記両側の傾斜辺部１２ａに対して直交する方向の辺部がそれぞれ、その中央部が前記一方の面方向に突出する山状に折曲げられた形状に形成されている。
【００２３】
この枠板部１２の両側の辺部は、前記ダイヤフラム部１１の直径線を中心として一方の方向と他方の方向とにそれぞれ５０°〜６０°ずつ広がった角度範囲にわたって、外周縁から内周縁に向かって前記一方の面方向に傾斜しており、その傾斜角は、この傾斜辺部１２ａの中央部（ダイヤフラム部１１の直径線付近の部分）から前記傾斜辺部１２ａの両端に向かって徐々に小さくなっている。
【００２４】
また、前記枠板部１２の山状折曲げ部１２ｂは、前記両側の傾斜辺部１２ａの間の部分に形成されている。なお、この実施例では、前記山状折曲げ部１２ｂを非傾斜面に形成しているが、この山状折曲げ部１２ｂは、前記両側の傾斜辺部１２ａと連続した緩傾斜面に形成してもよい。
【００２５】
そして、前記一対のダイヤフラム支持部１３は、前記枠板部１２の両側の傾斜辺部１２ａの中央部にそれぞれ対応する部分に形成されている。
【００２６】
この一対のダイヤフラム支持部１３はそれぞれ、枠板部１２側からダイヤフラム部１１側に向かって前記一方の面方向に傾斜しており、前記ダイヤフラム部１１の外周縁を前記枠板部１２に対して前記一方の面方向に浮かせて支持している。
【００２７】
前記一対の足部１４はそれぞれ、前記枠板部１２の外周縁のダイヤフラム支持部１３に対応する部分から前記枠板部１２の外周縁に沿って一方の方向と他方の方向とに円弧状に延長された２つの足片１４ａからなっている。
【００２８】
この一対の足部１４の各足片１４ａは、その先端部が前記一方の面方向とは反対方向に斜めに折曲げられた形状に形成されており、これらの足片１４ａの傾斜端にそれぞれ、前記一方の面とは反対方向に突出する突起状のコモン接点部１５が形成されている。
【００２９】
また、前記第１スイッチ用接点部１６は、前記枠板部１２の両側の傾斜辺部１２ａの中央部にそれぞれ２つずつ前記枠板部１２の周方向に間隔を置いて形成されている。
【００３０】
一方、前記スイッチケース１の周壁部１ａにより囲まれた内部空間は、その中央部に前記可動接点板１０の枠板部１２の外形よりも僅かに大径な円形部が形成され、前記スイッチケース１の４つの角部のうちのケース中心をはさんで互いに対向する２つの角部に対応する部分にそれぞれ、前記可動接点板１０の足部１４を余裕をもって収容する足収容部が前記円形部に連通させて形成された平面形状を有しており、前記スイッチケース１の内底面（周壁部１ａにより囲まれた内部空間の底面）は、前記円形部から両方の足収容部にわたって面一な平坦面に形成されている。
【００３１】
そして、前記可動接点板１０は、図９に示したように、前記スイッチケース１内に、前記ダイヤフラム部１１の膨らみ側を前記スイッチケース１の上面方向に向け、前記一対の足部１４の２つの足片１４ａの傾斜端に形成されたコモン接点部１５をそれぞれ前記スイッチケース１の足収容部の内底面に当接させて収容されている。
【００３２】
次に、前記スイッチケース１の内底面に設けられたコモン電極１７ａ及び第１、第２、第３のスイッチ用電極１８ａ，１９ａ，２０ｂについて説明すると、図３及び図４に示したように、コモン電極１７ａは、前記スイッチケース１の内底面のうちの前記可動接点板１０の一対の足部１４の当接部、つまり前記スイッチケース１の２つの角部に対応する足収容部の内底面にそれぞれ、前記可動接点板１０の一対の足部１４の２つの足片１４ａの傾斜端に形成されたコモン接点部１５の両方に対応させて設けられ、第１のスイッチ用電極１８ａは、前記スイッチケース１の内底面に、前記可動接点板１０の枠板部１２の両側の傾斜辺部１２ａの中央部にそれぞれ形成された第１スイッチ用接点部１６に極く僅かな間隔を存して対向させて設けられ、第２スイッチ用電極１９ａは、前記スイッチケース１の内底面に、前記可動接点板１０のダイヤフラム部１１の外周縁部のうちの前記ダイヤフラム支持部１３に対応する部分から周方向に実質的に略９０°ずれた２つの部分に前記第１スイッチ用接点部１６と前記第１スイッチ用電極１８ａとの間隔よりも大きい間隔を存して対向させて設けられ、第３スイッチ用電極２０ａは、前記スイッチケース１の内底面に、前記可動接点板１０のダイヤフラム部１１の中心部に前記ダイヤフラム部１１の外周縁部と前記第２スイッチ用電極１９ａとの間隔よりも大きい間隔を存して対向させて設けられている。
【００３３】
前記コモン電極１７ａ及び第１、第２、第３のスイッチ用電極１８ａ，１９ａ，２０ａはそれぞれ、図３に示した形状に形成された電極板１７及び１８，１９，２０に形成されており、これらの電極板１７及び１８，１９，２０は、コモン電極１７ａ及びスイッチ用電極１８ａ，１９ａ，２０ｂの形成部をスイッチケース１の足収容部の内底面に面一に露出させ、一端または両端に形成された端子部１７ｂ及び１８ｂ，１９ｂ，２０ｂをスイッチケース１外に突出させてスイッチケース１の底面部１１ｂに埋設されている。
【００３４】
なお、前記コモン電極１７ａ及び第１、第２、第３のスイッチ用電極１８ａ，１９ａ，２０ａのうち、コモン電極１７ａと第１のスイッチ用電極１８ａはそれぞれ、前記電極板１７，１８のケース内底面に露出された部分からなる平板状電極であり、第２のスイッチ用電極１９ａと第３のスイッチ用電極２０ａは、前記電極板１９，２０のケース内底面に露出された部分から上方に突出された突起状電極である。
【００３５】
さらに、このプッシュスイッチは、前記スイッチケース１の上面を覆って設けられたゴム等の絶縁体からなる可撓性シート５と、この可撓性シート５を覆って設けられた上面パネル６とを備えている。
【００３６】
前記上面パネル６は、前記スイッチケース１の外形に対応する正方形状の金属板からなっており、その中央部にプッシュ操作用の開口７が設けられ、周縁部のうちの互いに対向する２つの縁部に、下方に向けて垂直に折曲された位置決め片８が設けられ、他の２つの縁部に、下方に向けて垂直に折曲された、掛止孔９ａを有するケース掛止片９が設けられている。
【００３７】
一方、前記スイッチケース１の周壁部１ａの外周面には、前記上面パネル６の位置決め片８及びケース掛止片９にそれぞれ対応する凹入部２，３が形成されており、これらの凹入部２，３のうちのケース掛止片９に対応する凹入部３には、前記ケース掛止片９の掛止孔９ａに対応する掛止突起４が形成されている。
【００３８】
そして、上面パネル６は、前記位置決め片８及びケース掛止片９にそれぞれスイッチケース１の凹入部２，３に係合させ、前記ケース掛止片９の掛止孔９ａを前記掛止突起４に嵌合させてスイッチケース１に固定され、前記可撓性シート５の周縁部を前記スイッチケース１の周壁部１ａの上面との間に挟持している。
【００３９】
このプッシュスイッチは、スイッチケース１の上面側から可撓性シート５を介して可動接点板１０のダイヤフラム部１１の中央部を押圧するプッシュ操作によって３段階のスイッチングを行う。
【００４０】
図１０は前記プッシュスイッチのスイッチング動作を示す模式図であり、（ａ）は初期状態、（ｂ）は第１スイッチＯＮ状態、（ｃ）は第２スイッチＯＮ状態、（ｄ）は第３スイッチＯＮ状態を示している。
【００４１】
なお、前記プッシュスイッチは、例えばオートフォーカスカメラのシャッタスイッチに使用されるものであり、その場合、プッシュ操作は、シャッタボタンＡの押し下げにより行われる。
【００４２】
すなわち、シャッタボタンＡが押されないときは、前記プッシュスイッチの可動接点板１０は、図１０（ａ）のような初期状態にある。
【００４３】
一方、前記シャッタボタンＡを押し下げると、図１０（ｂ）のように、スイッチケース１の内底面に、一対の足部１４をそれぞれ、その２つの足片１４ａの傾斜端に形成されたコモン接点部１５をコモン電極１７ａに接触させて支持された可動接点板１０の枠板部１２の傾斜辺部１２ａが、内周縁側がスイッチケース１の内底面方向に押し下げられるように弾性変形して第１スイッチ用接点部１６が第１スイッチ用電極１８ａに接触し、スイッチケース１の内底面のうちの可動接点板１０の一対の足部１４の当接部に設けられたコモン電極１７ａと第１スイッチ用電極とが可動接点板を介して導通されて第１スイッチがＯＮする。
【００４４】
そして、前記可動接点板１０のダイヤフラム部１１をさらに押圧すると、図１０（ｃ）のように、前記可動接点板１０の一対のダイヤフラム支持部１３が、前記枠板部１２の山状折曲げ部１２ｂを広がり変形させながら逆向きの傾斜状態（枠板部１２側からダイヤフラム部１１側に向かってスイッチケース１の内底面方向に傾斜した状態）に反転して、前記ダイヤフラム部１１の外周縁部が第２スイッチ用電極１９ａに接触し、前記コモン電極１７ａと第２スイッチ用電極１８ａとが可動接点板１０を介して導通されて第２スイッチがＯＮする。
【００４５】
また、前記可動接点板１０のダイヤフラム部１１をさらに押圧すると、図１０（ｄ）のように、前記ダイヤフラム部１１が、前記枠板部１２の山状折曲げ部１２ｂを広がり変形させながら逆膨らみ状態（中央部がスイッチケース１の内底面方向に膨らんだ状態）に反転して、前記ダイヤフラム部１１の中心部が第３スイッチ用電極２０ａに接触し、前記コモン電極１７ａと第３スイッチ用電極２０ａとが可動接点板１０を介して導通されて第３スイッチがＯＮする。
【００４６】
図１１は、前記プッシュスイッチの荷重−ストローク特性と、第１、第２、第３スイッチのＯＮタイミングを示しており、第１スイッチは、シャッタボタンＡに指を触れた程度の極く軽い荷重（押圧力）でＯＮし、第２スイッチと第３スイッチはそれぞれ、前記シャッタボタンＡの押し下げに伴って順にＯＮする。
【００４７】
このとき、第２スイッチは前記ダイヤフラム支持部１３の反転によりＯＮし、第３スイッチは前記ダイヤフラム部１１の反転によりＯＮするため、これらの第２及び第３スイッチのＯＮ時に、押圧力に対する反力が急激に小さくなる。そのため、前記第２スイッチ及び第３スイッチのＯＮ動作に、クリック感をもたせることができる。
【００４８】
前記第１、第２、第３スイッチのＯＮ状態は、前記シャッタボタンＡが押し下げられている間はＯＮ状態を保ち、シャッタボタンＡの押し下げ力が開放されたときに、前記可動接点板１０の初期状態への復元によってＯＦＦ状態になる。
【００４９】
このように、この発明のプッシュスイッチは、一連のプッシュ操作によって３段階のスイッチングを行うことができ、したがって、例えばオートフォーカスカメラのシャッタスイッチに使用することにより、前記カメラの制御回路に、シャッタボタンの操作による３つのスイッチ信号を与えることができる。
【００５０】
しかも、このプッシュスイッチは、プッシュ操作により前記可動接点板１０を前記第１、第２、第３のスイッチ用電極１８ａ，１９ａ，２０ａに順に接触させるものであるため、スイッチケース内に、第２スイッチと第３スイッチを形成するための第１の可動接点板を配置し、さらに前記第１の可動接点板の上側に、第２段スイッチを形成するための第２の可動接点板を、前記第１の可動接点板との間に間隔を設けて配置した従来の３段型プッシュスイッチに比べて、容易に組立てることができるとともに、薄型化をはかることができる。
【００５１】
また、上記実施例のプッシュスイッチは、前記可動接点板１０の一対の足部１４をそれぞれ、前記枠板部１２の外周縁のダイヤフラム支持部１３に対応する部分から前記枠板部１２の外周縁に沿って一方の方向と他方の方向とに延長された２つの足片１４ａにより形成しているため、前記可動接点板１０をスイッチケース１の内底面に安定に支持させるとともに、前記枠板部１２の外方への前記足部１４の張出しを小さく抑え、スイッチケース１の平面形状を小さくすることができる。
【００５２】
さらに、上記実施例のプッシュスイッチは、前記可動接点板１０の一対の足部１４の２つの１４ａをそれぞれ、その先端部が、前記ダイヤフラム部１１の膨らみ方向とは反対方向、つまり前記スイッチケース１の内底面方向に斜めに折曲げられた形状に形成し、前記足部１４を、その各足片１４ａの先端部において、前記スイッチケース１の内底面に当接させているため、前記可動接点板１０のダイヤフラム部１１の外周縁部が前記第２スイッチ用電極１９ａに接触するときの前記ダイヤフラム支持部１３の反転による前記足部１４の跳ね上がり及び前記ダイヤフラム部１１の中心部が前記第３スイッチ用電極２０ａに接触するときの前記ダイヤフラム部１１の反転による前記足部１４の跳ね上がりを前記足片１４ａの折曲げ部の弾性により吸収し、前記足部１４の前記コモン電極１７ａへの接触状態を安定に保つことができる。
【００５３】
すなわち、前記可動接点板１０のダイヤフラム部１１を上方から押圧すると、前記足部１４の各足片１４ａの折曲げ部がフラットになる方向に弾性変形し、これらの足片１４ａの傾斜端に形成されたコモン接点部１５が前記コモン電極１７ａに弾力をもって押付けられるため、前記ダイヤフラム支持部１３の反転及び前記ダイヤフラム部１１の反転により前記足部１４が跳ね上がり、前記コモン接点部１５がコモン電極１７ａから離れることはない。
【００５４】
なお、上記実施例のプッシュスイッチは、スイッチケース１内に１枚の可動接点板１０を収容したものであるが、前記可動接点板１０を複数枚密着状態で重ねてスイッチケース１内に収容してもよい。
【００５５】
図１２はこの発明の第２の実施例を示すプッシュスイッチのスイッチケースの対角線方向に沿った拡大断面図であり、この実施例のプッシュスイッチは、２枚の可動接点板１０を、同じ向きで密着状態で重ねてスイッチケース１内に収容したものである。
【００５６】
なお、この実施例のプッシュスイッチは、可動接点板１０の枚数を２枚にしただけで、他の構成は上述した第１の実施例のプッシュスイッチと同じであるから、重複する説明は図に同符号を付して省略する。
【００５７】
この実施例のプッシュスイッチは、２枚の可動接点板１０を密着状態で重ねてスイッチケース１内に収容しているため、前記可動接点板１０の弾性変形の繰り返しによる劣化を軽減し、プッシュスイッチの耐久性を向上させることができる。
【００５８】
また、上記各実施例では、スイッチケース１の内底面に、可動接点板１０の一対の足部１４の両方の当接部にそれぞれ対応させてコモン電極１７ａを設けているが、前記コモン電極１７ａは、前記スイッチケース１の内底面のうちの前記可動接点板１０の一対の足部１４の少なくとも一方の当接部に設けてもよい。
【００５９】
さらに、上記各実施例のプッシュスイッチにおける可動接点板１０は、ダイヤフラム部１１の平面形状を円形に形成したものであるが、前記ダイヤフラム部１１の平面形状は、楕円形や多角形に形成してもよく、また枠板部１２の平面形状も、円形リング状に限らず、楕円リング状や多角リング状に形成してもよい。
【００６０】
また、上記各実施例のプッシュスイッチにおける可動接点板１０は、枠板部１２の両側傾斜辺部１２ａの中央部にそれぞれ２つずつの第１スイッチ用接点部１６を形成しているが、前記傾斜辺部１２ａに形成する第１スイッチ用接点部１６の数は、１でも、あるいは２つ以上でもよく、さらに、前記第１スイッチ用接点部１６は、前記傾斜辺部１２ａの中央部から周方向にずれた位置に形成してもよい。
【００６１】
また、前記第１スイッチ用接点部１６は、前記傾斜辺部１２ａの板面から突出させなくてもよく、その場合は、第１スイッチ用接点部１６と第１スイッチ用電極１８ａとを面接触させるようにしても、前記第１スイッチ用電極１８ａ上方に突出する突起部を形成し、その突起部に第１スイッチ用接点部１６を接触させるようにしてもよい。
【図面の簡単な説明】
【００６２】
【図１】この発明の第１の実施例を示すプッシュスイッチの外観の斜視図。
【図２】前記プッシュスイッチのスイッチケースの対角線方向に沿った拡大断面図。
【図３】スイッチケースの平面図。
【図４】図３のIV−IV線に沿う拡大断面図。
【図５】可動接点板の平面図。
【図６】可動接点板の側面図。
【図７】図５のVII−VII線に沿う拡大断面図。
【図８】図５のVIII−VIII線に沿う拡大断面図。
【図９】スイッチケースの可動接点板を収容した状態の平面図。
【図１０】前記プッシュスイッチのスイッチング動作を示す模式図。
【図１１】前記プッシュスイッチの荷重−ストローク特性と、第１、第２、第３スイッチのＯＮタイミングを示す図
【図１２】この発明の第２の実施例を示すプッシュスイッチのスイッチケースの対角線方向に沿った拡大断面図。
【符号の説明】
【００６３】
１…スイッチケース、１ａ…周壁部、１ｂ…底面部、５…可撓性シート、６…上面パネル、１０…可動接点板、１１…ダイヤフラム部、１２…枠板部、１２ａ…傾斜辺部、１２ｂ…山状折曲げ部、１３…ダイヤフラム支持部、１４…足部、１５…コモン接点部、１６…第１スイッチ用接点部、１７ａ…コモン電極、１８ａ…第１スイッチ用電極、１９ａ…第２スイッチ用電極、２０ａ…第３スイッチ用電極。
【図１】
2008186605.tif 000003
【図２】
2008186605.tif 000004
【図３】
2008186605.tif 000005
【図４】
2008186605.tif 000006
【図５】
2008186605.tif 000007
【図６】
2008186605.tif 000008
【図７】
2008186605.tif 000009
【図８】
2008186605.tif 000010
【図９】
2008186605.tif 000011
【図１０】
2008186605.tif 000012
【図１１】
2008186605.tif 000013
【図１２】
2008186605.tif 000014